(57)【要約】【課題】ユーザの行動に基づいて電力の供給を開始する携帯機器を提供する。【解決手段】携帯機器１は、位置に係る情報を取得する位置検出器２１を備える。電源制御部１０の前振り判定部は、位置検出器２１から取得した位置に係る情報に基づいて、第１の条件を満たすか否かを判定する。第１の条件は、例えば携帯機器１が移動していることである。第１の条件を満たすとき、電源制御部１０の電源判定部１２は、第２の条件を満たすか否かを判定する。第２の条件は、例えば携帯機器１が移動している状態から静止した状態に変化したことである。第２の条件を満たすとき、電源装置２５は、例えば信号処理制御部３０、表示部４２及びタッチパネル４４への電力の供給を開始する。【選択図】図１
2014238499.tif 000002
【特許請求の範囲】
【請求項１】
位置に係る情報を取得する検出部と、
前記位置に係る情報に基づいて、第１の位置変化条件を満たすか否かの第１の判定を行い、前記第１の位置変化条件を満たした後に、第２の位置変化条件を満たすか否かの第２の判定を行う判定部と、
前記第２の位置変化条件を満たすとき、少なくとも１つの電子部品への電力の供給を開始する電源装置と
を具備する携帯機器。
【請求項２】
前記第１の位置変化条件と前記第２の位置変化条件とは、対となる条件である請求項１に記載の携帯機器。
【請求項３】
前記検出部は、
現在地を取得する位置検出部と、
加速度を取得する加速度センサと、
現在の高度を取得する高度センサと、
振動を感知する振動センサと
のうち少なくとも１つを含む
請求項１又は２に記載の携帯機器。
【請求項４】
前記検出部は、現在地を取得し、
前記第１の位置変化条件と前記第２の位置変化条件とのうち少なくとも何れか一方は、現在地の変化量が所定の値よりも小さいことである
請求項１乃至３のうち何れか１項に記載の携帯機器。
【請求項５】
加速度を取得する加速度センサをさらに具備し、
前記判定部は、前記加速度に基づいて前記第２の判定を行う
請求項１乃至４のうち何れか１項に記載の携帯機器。
【請求項６】
前記検出部は、現在地を取得し、
前記現在地の時間変化を表す移動データを記憶する位置経過記憶部をさらに具備し、
前記判定部は、前記移動データに基づいて前記第１の判定を行う
請求項１又は２に記載の携帯機器。
【請求項７】
姿勢を取得する姿勢取得部をさらに具備し、
前記判定部は、前記第２の位置変化条件を満たした後に、前記姿勢に基づいて第３の位置変化条件を満たすか否かの第３の判定を行い、
前記第３の位置変化条件は、前記姿勢の変化量が所定の値よりも小さいことである
請求項６に記載の携帯機器。
【発明の詳細な説明】
【技術分野】
【０００１】
本発明は、携帯機器に関する。
【背景技術】
【０００２】
一般に、携帯機器は、電池を電力源としているものが多い。携帯機器の携帯性を向上させるためには、電池を小さくすることが求められる。このため、携帯機器には省エネルギーが要求されている。省エネルギーを実現する１つの方法として、携帯機器内の各部への電力の供給の有無を適切に切り替えることが挙げられる。例えば特許文献１には、手振れがなくなるとスリープモードになる撮像装置に係る技術が開示されている。
【先行技術文献】
【特許文献】
【０００３】
【特許文献１】特開２００７−１７９５５３号公報
【発明の概要】
【発明が解決しようとする課題】
【０００４】
携帯機器は様々な場面で用いられる。すなわち、ユーザが煩雑な操作を行いにくい場面で使用されたり、ユーザが携帯機器を把持した後直ちに使用されたりする場合等もある。このため、ユーザの動作に応じて適切に電源のオン又はオフが切り替えられる携帯機器が求められる。
【０００５】
そこで本発明は、機器使用前のユーザの行動を検出し、その検出結果に基づいて電力の供給を開始する携帯機器を提供することを目的とする。
【課題を解決するための手段】
【０００６】
前記目的を果たすため、本発明の一態様によれば、携帯機器は、位置に係る情報を取得する検出部と、前記位置に係る情報に基づいて、第１の位置変化条件を満たすか否かの第１の判定を行い、前記第１の位置変化条件を満たした後に、第２の位置変化条件を満たすか否かの第２の判定を行う判定部と、前記第２の位置変化条件を満たすとき、少なくとも１つの電子部品への電力の供給を開始する電源装置とを具備する。
【発明の効果】
【０００７】
本発明によれば、機器使用前のユーザの行動を検出し、その検出結果に基づいて電力の供給を開始する携帯機器を提供できる。
【図面の簡単な説明】
【０００８】
【図１】第１の実施形態に係る携帯機器の構成例の概略を示すブロック図。
【図２】第１の実施形態に係る電源制御処理の一例を示すフローチャート。
【図３】第１の実施形態に係る電源判定処理の一例を示すフローチャート。
【図４】第１の実施形態の変形例に係る電源制御処理の一例を示すフローチャート。
【図５】第１の実施形態の変形例に係る前振り判定処理の一例を示すフローチャート。
【図６】第１の実施形態の変形例に係る電源判定処理の一例を示すフローチャート。
【図７】第２の実施形態に係るデジタルカメラの構成例の概略を示すブロック図。
【図８】第２の実施形態に係るカメラ制御処理の一例を示すフローチャート。
【図９】スキー場について説明するための概略図。
【図１０】第２の実施形態に係る電源判定処理の一例を示すフローチャート。
【図１１】第２の実施形態の変形例に係るカメラ制御処理の一例を示すフローチャート。
【図１２】第２の実施形態の変形例に係る前振り判定処理の一例を示すフローチャート。
【図１３】第２の実施形態の変形例に係る電源判定処理の一例を示すフローチャート。
【図１４】加速度及び速度の時間経過について説明するための図。
【図１５】第２の実施形態の変形例に係る停止判定処理の一例を示すフローチャート。
【発明を実施するための形態】
【０００９】
［第１の実施形態］
本発明の第１の実施形態について図面を参照して説明する。図１は、本実施形態に係る携帯機器１の構成例の概略を示す。携帯機器１は、電源制御部１０と、電池２０と、位置検出器２１と、加速度センサ２２と、電源装置２５と、信号処理制御部３０と、表示部４２と、タッチパネル４４とを備える。図１において、各部を結ぶ実線は信号を送受信するための信号線を示し、破線は電力を供給するための配線を示す。
【００１０】
電池２０は、携帯機器１の各部に電力を供給する電源である。位置検出器２１は、例えばＧＰＳを利用して現在地を特定し、現在地情報を電源制御部１０に出力する。位置検出器２１は、ＧＰＳを利用するものに限らず、携帯電話の基地局等を利用する等、現在地を特定できれば各種方法の何れを用いるものでもよい。加速度センサ２２は、例えば一般的な加速度センサであり、加速度に係る情報を電源制御部１０に出力する。この加速度センサ２２の出力に基づけば、携帯機器の移動に伴う加速度や、重力加速度に基づく携帯機器１の姿勢の情報が取得され得る。
【００１１】
電源装置２５は、電池２０から信号処理制御部３０、表示部４２及びタッチパネル４４への電力の供給を行う。信号処理制御部３０は、表示部４２及びタッチパネル４４と接続しており、表示部４２及びタッチパネル４４の動作を制御する。表示部４２は、信号処理制御部３０の制御下で、各種画像を表示する。タッチパネル４４は、信号処理制御部３０の制御下で、ユーザによるタッチ位置を検出し、タッチ位置に係る情報を信号処理制御部３０に出力する。
【００１２】
電源制御部１０は、本実施形態に係る電源制御処理を行う。すなわち、電源制御部１０は、電源装置２５から各部への電力の供給の開始及び終了を制御する。電源制御部１０は、電池２０、位置検出器２１、加速度センサ２２、電源装置２５及び信号処理制御部３０と接続している。電源制御部１０は、位置検出器２１及び加速度センサ２２から信号を取得する。また、電源制御部１０は、電池２０から位置検出器２１及び加速度センサ２２への電力の供給を制御する。
【００１３】
電源制御部１０は、前振り判定部１１と、電源判定部１２と、位置経過記憶部１３とを備える。前振り判定部１１は、後述する前振り判定処理を行う。電源判定部１２は、後述する電源判定処理を行う。位置経過記憶部１３は、位置検出器２１によって取得された現在地の経時変化を記憶する。
【００１４】
本実施形態に係る携帯機器１は、ユーザによって持ち運ばれる。本実施形態に係るスタンバイモードでは、電源制御部１０を含む一部の要素を除き、携帯機器１の各部には電力が供給されていない。スタンバイモードにおいて、例えば携帯機器１を保持しているユーザが、移動している状態から静止した状態へと状態を変化させたとき、本実施形態に係る電源制御処理により、携帯機器１の各部には電力が供給される。
【００１５】
本実施形態に係るスタンバイモードにおいて実行される電源制御処理について図２を参照して説明する。ステップＳ１０１において、電源制御部１０は、電池２０からその後の処理に必要な情報を取得する第１の検出器への電力の供給を開始させる。本実施形態では、電源制御部１０は、電池２０から第１の検出器としての位置検出器２１への電力の供給を開始させ、位置検出器２１をＯＮ状態にする。
【００１６】
ステップＳ１０２において、電源制御部１０は、電源判定処理を行う。本実施形態に係る電源判定処理について図３に示すフローチャートを参照して説明する。ステップＳ２０１において電源制御部１０は、位置検出器２１から携帯機器１の現在地の情報を取得する。電源制御部１０は、時間経過に対する携帯機器１の現在の位置を記憶する。ステップＳ２０２において電源制御部１０は、ステップＳ２０１で記憶した時間経過に対する位置の情報に基づいて、携帯機器１の位置変化を決定する。
【００１７】
ステップＳ２０３において、電源制御部１０は、ステップＳ２０２で決定された位置変化に基づいて、携帯機器１の位置が変化しているか否か、すなわち、携帯機器１が移動しているか否かを判定する。携帯機器１が移動していないと判定されたとき、処理はステップＳ２０３を繰り返す。一方、携帯機器１が移動していると判定されたとき、処理はステップＳ２０４に進む。
【００１８】
ステップＳ２０４において電源制御部１０は、ステップＳ２０２で決定された位置変化に基づいて、携帯機器１が移動している状態から、位置が変化しない状態となったか否か、すなわち、携帯機器１が停止したか否かを判定する。なお、携帯機器１が停止したと判定されるのは、位置が全く変化しなくなったときに限らず、例えば位置変化量が所定の値よりも小さくなったときでもよい。ステップＳ２０４において停止したと判定されたとき、処理はステップＳ２０５に進む。ステップＳ２０５において、電源制御部１０は、電源フラグをＯＮに設定する。その後、処理は図２を参照して説明している電源制御処理に戻る。ステップＳ２０４において、停止していないと判定されたとき、処理はステップＳ２０６に進む。ステップＳ２０６において電源フラグをＯＦＦのまま維持する。その後、処理は電源制御処理に戻る。
【００１９】
なお、ここで説明した電源判定処理は一例であり、電源判定処理では、位置に係る情報を用いた種々の判定やそれらの組み合わせが用いられ得る。電源判定処理は、携帯機器１の用途や機能に応じて適宜に設定され得る。
【００２０】
図２に戻って、電源制御処理について説明を続ける。ステップＳ１０２の電源判定処理の後、処理はステップＳ１０３に進む。ステップＳ１０３において、電源制御部１０は、電源フラグがＯＮであるか否かを判定する。電源フラグがＯＮでないと判定されたとき、処理はステップＳ１０２に戻る。一方、電源フラグがＯＮであると判定されたとき、処理はステップＳ１０４に進む。ステップＳ１０４において電源制御部１０は、電源装置２５に、携帯機器１の各部に電力を供給させる。その後、電源制御処理は終了する。
【００２１】
電源装置２５によって携帯機器１の各部に電力が供給されると、その各部は機能する。例えば、本実施形態に係る携帯機器１では、電源装置２５は、信号処理制御部３０、表示部４２及びタッチパネル４４へ電力を供給する。このとき、例えば信号処理制御部３０の制御下で、表示部４２に各種画像が表示される。また、信号処理制御部３０の制御下で、タッチパネル４４が動作し、タッチパネル４４へのユーザによる入力が取得される。信号処理制御部３０は、タッチパネル４４から取得したユーザの指示に基づいて、各種演算を行い、種々の機能を発揮し、表示部４２に各種画像を表示させる。
【００２２】
本実施形態によれば、ユーザが移動中に携帯機器１の使用を希望して移動を停止したときに、携帯機器１の各部に電力が供給され、各部が機能するようになる。その結果、ユーザは、使用を希望したときに、電源を入れる等の操作を行わなくても、即時に携帯機器１を使用することができる。本実施形態によれば、適時に必要な部分に電力が供給されるので、省エネルギーな携帯機器が実現される。
【００２３】
このように、特定の単調な、又は比較的急激な位置変化があり、その後、位置変化がなくなる等したときに、電源を入れやすくする工夫は重要である。位置変化がある状態からない状態に変化するときは、位置変化がある状態の継続が難しい場合であったり、位置変化がある状態が一段落ついた時であったりする。このような場合に、携帯機器１が操作され得るとすることは重要である。特に移動中には、画面確認やタッチパネル操作を含むスイッチ操作は困難であるので、誤操作対策としてもこのような工夫は重要である。
【００２４】
このように、例えば位置検出部２１は、位置に係る情報を取得する検出部として機能する。例えば電源判定部１２は、前記位置に係る情報に基づいて、第１の位置変化条件を満たすか否かの第１の判定を行い、前記第１の位置変化条件を満たした後に、第２の位置変化条件を満たすか否かの第２の判定を行う判定部として機能する。例えば電源装置２５は、前記第２の条件を満たすとき、少なくとも１つの電子部品への電力の供給を開始する電源装置として機能する。また、例えばステップＳ２０３の判定は、第１の判定に相当し、例えばステップＳ２０４の判定は、第２の判定に相当する。
【００２５】
なお、本実施形態では、位置検出器２１の出力に基づいて、携帯機器１の移動が停止したか否かに係る判定が行われているが、例えば振動を感知する図示しない振動センサに基づいて、ユーザが歩いているか立ち止まっているかが判定されることで、携帯機器１の移動が停止したか否かが判定されてもよい。また、加速度センサの出力に基づいて、ユーザの移動や停止が判定されてもよい。
【００２６】
［第１の実施形態の変形例］
第１の実施形態の変形例について説明する。ここでは、第１の実施形態との相違点について説明し、同一の部分については、同一の符号を付してその説明を省略する。本実施形態に係る携帯機器１は、例えばポケットや鞄に入れられてユーザによって持ち運ばれる。本実施形態に係るスタンバイモードでは、電源制御部１０を含む一部の要素を除き、携帯機器１の各部には電力が供給されていない。スタンバイモードにおいて、ユーザが使用のために立ち止まり携帯機器１をポケットや鞄から取り出したとき、本実施形態に係る電源制御処理により、携帯機器１の各部には電力が供給される。
【００２７】
本実施形態に係るスタンバイモードにおいて実行される電源制御処理について図４を参照して説明する。本実施形態に係る電源制御処理の概要は次のとおりである。電源制御処理は、前振り判定処理と電源判定処理とを含む。ここで、前振り判定処理は、第１の実施形態に係る電源判定処理に相当する。この前振り判定において所定の条件が満たされたとき、前振りフラグがＯＮになる。前振りフラグがＯＮのとき、処理は電源判定処理に進む。電源判定処理では、各種情報に基づく判定が行われる。この判定において所定の条件が満たされたとき、電源フラグがＯＮになる。電源フラグがＯＮのとき、携帯機器１の各部への電力供給が行われる。なお、スタンバイモードが開始するとき、電池２０から電源制御部１０のみに電力が供給される。
【００２８】
ステップＳ３０１において、電源制御部１０は、電池２０からその後の処理に必要な情報を取得する第１の検出器への電力の供給を開始させる。本実施形態では、電源制御部１０は、電池２０から第１の検出器としての位置検出器２１への電力の供給を開始させ、位置検出器２１をＯＮ状態にする。また、電源制御部１０は、前振りフラグをＯＦＦに設定し、電源フラグをＯＦＦに設定する。
【００２９】
ステップＳ３０２において、電源制御部１０は、前振り判定処理を行う。本実施形態に係る前振り判定処理について図５に示すフローチャートを参照して説明する。ステップＳ４０１において電源制御部１０は、位置検出器２１から携帯機器１の現在地の情報を取得する。電源制御部１０は、時間経過に対する携帯機器１の現在の位置を記憶する。ステップＳ４０２において電源制御部１０は、ステップＳ４０１で記憶した時間経過に対する位置の情報に基づいて、携帯機器１の位置変化を決定する。
【００３０】
ステップＳ４０３において電源制御部１０は、ステップＳ４０２で決定された位置変化に基づいて、携帯機器１の位置が変化しているか否か、すなわち、携帯機器１が移動しているか否かを判定する。携帯機器１が移動していないと判定されたとき、処理はステップＳ４０３を繰り返す。一方、携帯機器１が移動していると判定されたとき、処理はステップＳ４０４に進む。
【００３１】
ステップＳ４０４において電源制御部１０は、ステップＳ４０２で決定された位置変化に基づいて、携帯機器１が移動している状態から、位置が変化しない状態となったか否か、すなわち、携帯機器１が停止したか否かを判定する。なお、携帯機器１が停止したと判定されるのは、位置が全く変化しなくなったときに限らず、例えば位置変化量が所定の値よりも小さくなったときでもよい。ステップＳ４０４において停止したと判定されたとき、処理はステップＳ４０５に進む。ステップＳ４０５において、電源制御部１０は、前振りフラグをＯＮに設定する。その後、処理は図２を参照して説明している電源制御処理に戻る。ステップＳ４０４において、停止していないと判定されたとき、処理はステップＳ４０６に進む。ステップＳ４０６において前振りフラグをＯＦＦのまま維持する。その後、処理は電源制御処理に戻る。
【００３２】
なお、ここで説明した前振り判定処理は一例であり、判定処理では、位置に係る情報を用いた種々の判定やそれらの組み合わせが用いられ得る。前振り判定処理は、携帯機器１の用途や機能に応じて適宜に設定され得る。
【００３３】
図４に戻って、電源制御処理について説明を続ける。ステップＳ３０２の前振り判定処理の後、処理はステップＳ３０３に進む。ステップＳ３０３において、電源制御部１０は、前振りフラグがＯＮであるか否かを判定する。前振りフラグがＯＮでないと判定されたとき、処理はステップＳ３０２に戻る。一方、前振りフラグがＯＮであると判定されたとき、処理はステップＳ３０４に進む。前振りフラグは、移動によって状況が変わり、その状況が終わった、又は一段落したというような、機器を操作するにふさわしい状況になる予兆の情報のように使われ得る。
【００３４】
ステップＳ３０４において電源制御部１０は、電池２０からその後の処理でさらに必要となる第２の検出器への電力の供給を開始させる。本実施形態では、電源制御部１０は、電池２０からさらに第２の検出器としての加速度センサ２２への電力の供給を開始させ、加速度センサ２２をＯＮ状態にする。その後、処理はステップＳ３０５に進む。
【００３５】
ステップＳ３０５において電源制御部１０は、電源判定処理を行う。本変形例に係る電源判定処理の一例を図６に示すフローチャートを参照して説明する。ステップＳ５０１において電源制御部１０は、例えば加速度センサ２２から携帯機器１にかかる加速度についての情報を取得し、携帯機器１が重力に逆らう動きをしたか否か、すなわち鉛直上向きへの移動が含まれていたか否かを判定する。上向きへの移動が含まれていなかったと判定されたとき、処理はステップＳ５０４に進む。一方、上向きへの移動が含まれていたと判定されたとき、処理はステップＳ５０２に進む。
【００３６】
ステップＳ５０２において電源制御部１０は、例えば加速度センサ２２から携帯機器１にかかる加速度についての情報を取得し、携帯機器１の姿勢が固定されたか否かを判定する。姿勢固定されていないと判定されたとき、処理はステップＳ５０４に進む。一方、姿勢が固定されたと判定されたとき、処理はステップＳ５０３に進む。
【００３７】
ここで、ステップＳ５０１で重力に逆らう動きがあったと判定され、ステップＳ５０２で姿勢が固定されたと判定されたときは、例えばユーザが携帯機器１をポケットや鞄から取り出した後、携帯機器１を使用しようと保持したときであると推定される。ステップＳ５０３において電源制御部１０は、電源フラグをＯＮにする。その後、電源判定処理は終了し、処理は図４を参照して説明している電源制御処理に戻る。一方、ステップＳ５０４において電源制御部１０は、電源フラグをＯＦＦのまま維持する。その後、電源判定処理は終了し、処理は図２を参照して説明している電源制御処理に戻る。
【００３８】
なお、ここで説明した電源判定処理は一例であり、電源判定処理では、ユーザが携帯機器１を使用しようとしているか否かを判定するための種々の判定やそれらの組み合わせが用いられ得る。電源判定処理は、携帯機器１の用途や機能に応じて適宜に設定され得る。
【００３９】
図４に戻って説明を続ける。電源判定処理の後、処理はステップＳ３０６に進む。ステップＳ３０６において電源制御部１０は、電源フラグがＯＮであるか否かを判定する。電源フラグがＯＮではないと判定されたとき、処理はステップＳ３０７に進む。ステップＳ３０７において電源制御部１０は、前振りフラグがＯＮになってから所定時間が経過したか否かを判定する。所定時間経過していないと判定されたとき、処理はステップＳ３０３に戻る。一方、所定時間経過したと判定されたとき、処理はステップＳ３０８に進む。
【００４０】
ステップＳ３０８において電源制御部１０は、前振りフラグをＯＦＦに設定する。ステップＳ３０９において電源制御部１０は、ステップＳ３０４でＯＮにした第２の検出器をＯＦＦにする。本実施形態では、電池２０から加速度センサ２２への電力の供給を停止させ、加速度センサ２２をＯＦＦにする。その後、処理はステップＳ３０３に戻る。この場合、前振りフラグがＯＦＦになっているので、ステップＳ３０３の後、処理はステップＳ３０２に戻る。
【００４１】
ステップＳ３０６において、電源フラグＯＮであると判定されたとき、処理はステップＳ３１０に進む。ステップＳ３１０において電源制御部１０は、電源装置２５に、携帯機器１の各部に電力を供給させる。その後、電源制御処理は終了する。
【００４２】
電源装置２５によって携帯機器１の各部に電力が供給されると、その各部は機能する。例えば、本実施形態に係る携帯機器１では、電源装置２５は、信号処理制御部３０、表示部４２及びタッチパネル４４へ電力を供給する。このとき、例えば信号処理制御部３０の制御下で、表示部４２に各種画像が表示される。また、信号処理制御部３０の制御下で、タッチパネル４４が動作し、タッチパネル４４へのユーザによる入力が取得される。信号処理制御部３０は、タッチパネル４４から取得したユーザの指示に基づいて、各種演算を行い、種々の機能を発揮し、表示部４２に各種画像を表示させる。
【００４３】
本実施形態によれば、ユーザが移動中に携帯機器１の使用を希望して移動を停止して携帯機器１を取り出して構えたときに、携帯機器１の各部に電力が供給され、各部が機能するようになる。その結果、ユーザは、使用を希望したときに、電源を入れる等の操作を行わなくても、即時に携帯機器１を使用することができる。本実施形態によれば、適時に必要な部分に電力が供給されるので、省エネルギーな携帯機器が実現される。
【００４４】
このように、例えば前振り判定部１１は、位置に係る情報に基づいて、第１の位置変化条件を満たすか否かの第１の判定を行い、前記第１の位置変化条件を満たした後に、第２の位置変化条件を満たすか否かの第２の判定を行う判定部として機能する。例えば電源判定部１２は、前記第２の位置変化条件を満たした後に、前記姿勢に基づいて第３の位置変化条件を満たすか否かの第３の判定を行う判定部として機能する。
【００４５】
また、本実施形態で説明した処理は一例であり、その一部が変更されたり削除されたりしてもよい。例えば、本実施形態では電源判定処理において、ステップＳ３０１で鉛直上向きへの移動が検出された後、ステップＳ３０２で姿勢が固定されたか否かが判定されているが、ステップＳ３０１を省略し、ステップＳ３０２の姿勢に基づく判定のみが行われてもよい。
【００４６】
［第２の実施形態］
本発明の第２の実施形態について説明する。ここでは、第１の実施形態との相違点について説明し、同一の部分については、同一の符号を付してその説明を省略する。本実施形態は、第１の実施形態に係る電源制御処理が実装されたデジタルカメラに係る。本実施形態に係るデジタルカメラは、特にスキー場において用いられるスタンバイモードであるスキー場スタンバイモードを実装しているものとして説明する。
【００４７】
本実施形態に係るデジタルカメラ１００の構成例を図７に示す。図７に示すように、デジタルカメラ１００は、第１の実施形態と同様に、電源制御部１０と、電池２０と、位置検出器２１と、加速度センサ２２と、電源装置２５と、信号処理制御部３０と、表示部４２と、タッチパネル４４とを備える。電池２０と、位置検出器２１と、加速度センサ２２と、電源装置２５と、表示部４２と、タッチパネル４４とは、第１の実施形態に係るそれらと同様であるので、これらについての説明は省略する。
【００４８】
デジタルカメラ１００は、さらに、高度センサ２３と、撮像部５２と、記録部５４と、操作部５６とを備える。高度センサ２３は、例えば気圧を測定し、現在地の高度を取得する。信号処理制御部３０は、第１の実施形態で説明した機能に加えて、デジタルカメラ１の各種動作の制御や画像処理等を行う。撮像部５２は、撮像素子等を含み、被写体像に基づいて画像データを生成する。この画像データに基づいて、信号処理制御部３０で画像処理が行われ、処理後の画像が表示部４２に表示されたり、画像ファイルが作成されて記録部５４に記録されたりする。記録部５４は、信号処理制御部３０で作成された画像ファイルを記録する。操作部５６は、レリーズスイッチや各種設定のためのダイヤル等を含む。
【００４９】
電源制御部１０は、第１の実施形態と同様に前振り判定部１１と電源判定部１２と、位置経過記憶部１３とを有すると共に、さらに停止判定部１４と、リフト位置特定部１５とを有する。停止判定部は、後述の停止判定処理を行う。リフト位置特定部１５は、スキー場におけるリフトの位置を特定する。
【００５０】
デジタルカメラ１００の動作について図８に示すフローチャートを参照して説明する。ステップＳ６０１において電源制御部１０は、電源がＯＮになっているか否かを判定する。電源がＯＮになっているとき、処理はステップＳ６０４に進む。一方、電源がＯＮでないとき、処理はステップＳ６０２に進む。ステップＳ６０２において電源制御部１０は、スタンバイモードであるか否かを判定する。スタンバイモードでないと判定されたとき、処理はステップＳ６０１に戻る。一方、スタンバイモードであると判定されたとき、処理はステップＳ６０３に進む。
【００５１】
ステップＳ６０３において電源制御部１０は、電源制御処理を行う。本実施形態では、スキー場スタンバイモードが実施される。スキー場の概要を図９の模式図を参照して簡単に説明する。この図に示すように、スキー場にはリフトが設けられており、スキーヤーやスノーボーダーであるデジタルカメラ１００のユーザは、リフトに乗って高度が高い位置に移動する。続いてユーザは、滑走を開始する。
【００５２】
デジタルカメラ１００がユーザに固定されており、デジタルカメラ１００がユーザが滑走中の動画を撮影することを想定する。ユーザは滑走中に停止することもある。この停止の後も、ユーザは滑走を再開し、再びリフト乗り場からリフトに乗ることが想定される。
【００５３】
本実施形態に係る電源制御処理は、第１の実施形態の場合と同様であり図２を参照して説明したとおりである。すなわち、ステップＳ１０１において、電源制御部１０は、電池２０からその後の処理に必要な情報を取得する第１の検出器への電力の供給を開始させる。本実施形態では、電源制御部１０は、電池２０から第１の検出器としての位置検出器２１への電力の供給を開始させ、位置検出器２１をＯＮ状態にする。
【００５４】
ステップＳ１０２において、電源制御部１０は、電源判定処理を行う。本実施形態に係る電源判定処理について図１０に示すフローチャートを参照して説明する。ステップＳ７０１において電源制御部１０は、高度センサ２３から携帯機器１の現在の高度の情報を取得する。電源制御部１０は、時間経過に対する携帯機器１の現在の高度を記憶する。ステップＳ７０２において電源制御部１０は、ステップＳ７０１で記憶した時間経過に対する高度の情報に基づいて、携帯機器１の高度変化を決定する。
【００５５】
ステップＳ７０３において、電源制御部１０は、ステップＳ７０２で決定された高度変化に基づいて、携帯機器１の高度が上昇しているか否かを判定する。携帯機器１が上昇していないと判定されたとき、処理はステップＳ７０３を繰り返す。一方、携帯機器１が上昇していると判定されたとき、処理はステップＳ７０４に進む。
【００５６】
ステップＳ７０４において電源制御部１０は、ステップＳ７０２で決定された高度変化に基づいて、携帯機器１が上昇している状態から、下降している状態となったか否かを判定する。なお、携帯機器１が下降していると判定されるのは、例えば下降量が所定の値よりも大きくなったとき等適当な条件が設定される。ステップＳ７０４において下降していると判定されたとき、処理はステップＳ７０５に進む。ステップＳ７０５において、電源制御部１０は、電源フラグをＯＮに設定する。その後、処理は図２を参照して説明している電源制御処理に戻る。ステップＳ７０４において、下降していないと判定されたとき、処理はステップＳ７０６に進む。ステップＳ７０６において電源フラグをＯＦＦのまま維持する。その後、処理は電源制御処理に戻る。
【００５７】
図２に戻って、電源制御処理について説明を続ける。ステップＳ１０２の電源判定処理の後、処理はステップＳ１０３に進む。ステップＳ１０３において、電源制御部１０は、電源フラグがＯＮであるか否かを判定する。電源フラグがＯＮでないと判定されたとき、処理はステップＳ１０２に戻る。一方、電源フラグがＯＮであると判定されたとき、処理はステップＳ１０４に進む。ステップＳ１０４において電源制御部１０は、電源装置２５に、デジタルカメラ１００の各部に電力を供給させる。その後、電源制御処理は終了する。
【００５８】
図８に戻ってカメラ制御処理について説明を続ける。ステップＳ６０３の電源制御処理の後、処理はステップＳ６０４に進む。ステップＳ６０４乃至ステップＳ６０８の処理は、信号処理制御部３０において行われる。ステップＳ６０４において信号処理制御部３０は、撮影モードであるか否かを判定する。撮影モードでないと判定されたとき、処理はステップＳ６０５に進む。ステップＳ６０５において信号処理制御部３０は、再生動作処理を行う。再生動作処理は、例えば記録部５４に記録された画像を表示部４２に１枚ずつ表示させたり、一覧表示させたりする一般的な処理である。再生動作処理については、その詳細な説明は省略する。再生動作処理の後、処理はステップＳ６０９に進む。
【００５９】
ステップＳ６０４において、撮影モードであると判定されたとき、処理はステップＳ６０６に進む。ステップＳ６０６において信号処理制御部３０は、撮像部５２から画像データを取得し、画像処理を施して、スルー画を作成する。信号処理制御部３０は、作成したスルー画を表示部４２に表示させる。ステップＳ６０７において信号処理制御部３０は、例えば操作部５６のレリーズボタンが押されたり、タッチパネル４４がタッチされたりといった撮影操作が行われたか否かを判定する。撮影操作が行われていないと判定されたとき、処理はステップＳ６０９に進む。一方、撮影操作が行われたと判定されたとき、処理はステップＳ６０８に進む。
【００６０】
ステップＳ６０８において信号処理制御部３０は、撮影動作を行う。すなわち、信号処理制御部３０は、撮像部５２に撮像動作を行わせて画像データを作成させ、この画像データを取得する。信号処理制御部３０は、画像データに対して画像処理を施し、画像ファイルとして記録部５４に記録させる。その後、処理はステップＳ６０９に進む。
【００６１】
ステップＳ６０９乃至ステップＳ６１０の処理は、電源制御部１０によって行われる。ステップＳ６０９において電源制御部１０は、電源をＯＦＦにする指示が入力されたか否かを判定する。電源ＯＦＦの入力がされていないとき、処理はステップＳ６０４に戻る。一方、電源ＯＦＦの入力がされたとき、処理はステップＳ６１０に進む。ステップＳ６１０において電源制御部１０は、電源装置２５にデジタルカメラ１００の各部への電力の供給をＯＦＦにするように指令する。その後、処理はステップＳ６０１に戻る。
【００６２】
このように、例えば高度センサ２３は、位置に係る情報を取得する検出部として機能する。デジタルカメラ１００は、スキー場においてユーザがリフトに乗って上昇し、その後リフトを降りて高度を下げ始めると、デジタルカメラ１００の各部に電力が供給されて機能するように構成されている。本実施形態によれば、ユーザがデジタルカメラ１００の電源のＯＮ／ＯＦＦに係る操作をしなくても、リフトを降りるとデジタルカメラ１００はＯＮ状態になる。本実施形態に係るデジタルカメラ１００によれば、電源操作の手間が省かれるためユーザにとって利便性がよい。特に、スキー場では、ユーザがグローブをはめていたり気温が低かったりするためにユーザにとって細かい操作を行うことが通常より困難であることなどから、本実施形態に係る電源制御処理は効果を奏する。本実施形態によれば、適切なタイミングで電源のＯＮ／ＯＦＦが切り替わるので、デジタルカメラ１００において省エネルギーが実現される。
【００６３】
［第２の実施形態の変形例］
本発明の第２の実施形態の変形例について説明する。ここでは、第２の実施形態との相違点について説明し、同一の部分については、同一の符号を付してその説明を省略する。本変形例に係るデジタルカメラは、スキー場においてユーザが滑走の途中で撮影のために停止すると、デジタルカメラ１００の各部に電力が供給されて機能するように構成されている。
【００６４】
デジタルカメラ１００の動作について図１１に示すフローチャートを参照して説明する。ステップＳ８０１において電源制御部１０は、電源がＯＮになっているか否かを判定する。電源がＯＮになっているとき、処理はステップＳ８０４に進む。一方、電源がＯＮでないとき、処理はステップＳ８０２に進む。ステップＳ８０２において電源制御部１０は、スタンバイモードであるか否かを判定する。スタンバイモードでないと判定されたとき、処理はステップＳ８０１に戻る。一方、スタンバイモードであると判定されたとき、処理はステップＳ８０３に進む。
【００６５】
ステップＳ８０３において電源制御部１０は、電源制御処理を行う。本実施形態では、スキー場スタンバイモードが実施される。スキー場の概要は図９の模式図を参照して簡単に説明したとおりである。図９に示すように、スキー場にはリフトが設けられており、スキーヤーやスノーボーダーであるデジタルカメラ１００のユーザは、リフトに乗って高度が高い位置に移動する。続いてユーザは、滑走を開始する。ユーザは滑走途中に停止し、写真撮影を行うことが想定される。本実施形態では、この滑走途中で停止したときにデジタルカメラ１００の電源が入るように構成されているものとして説明を行う。ユーザは図７に示すように撮影後には滑走を再開し、再びリフト乗り場からリフトに乗ることが想定される。
【００６６】
本実施形態に係る電源制御処理は、第１の実施形態の変形例の場合と同様であり図４を参照して説明したとおりである。ステップＳ３０１において電源制御部１０は、第１の検出器をＯＮにし、前振りフラグ及び電源フラグをＯＦＦに設定する。本実施形態では、第１の検出器として、位置検出器２１及び高度センサ２３がＯＮになる。ステップＳ３０２において電源制御部１０は、位置に係る情報を用いた前振り判定処理を行う。
【００６７】
本実施形態に係る前振り判定処理を図１２に示すフローチャートを参照して説明する。ステップＳ９０１において電源制御部１０は、位置検出器２１から位置情報を取得し、位置変化経過を記録する。ステップＳ９０２において電源制御部１０は、位置変化経過に基づいて、デジタルカメラ１００の移動速度を算出する。電源制御部１０は、加速度センサ２２の出力を積分することで速度を算出してもよい。ステップＳ９０３において電源制御部１０は、位置変化経過に基づいて、デジタルカメラ１００の進行方向を算出する。
【００６８】
ステップＳ９０４において電源制御部１０は、リフト進行方向が確定済みであるか否かを判定する。リフト進行方向が確定済みでないと判定されたとき、処理はステップＳ９０５に進む。ステップＳ９０５において電源制御部１０は、高度センサ２３の出力に基づいて、高度が１０ｍ以上連続的に上昇したか否かを判定する。スキー場において高度が１０ｍ以上連続的に上昇しているとき、ユーザはリフトに乗っていると推定される。１０ｍという値はもちろん一例であり、この値は適宜変更され得る。高度が１０ｍ以上連続的に上昇していないと判定されたとき、処理はステップＳ９０６に進む。ステップＳ９０６において電源制御部１０は、リフト進行方向は未確定であると設定する。その後、処理はステップＳ９１２に進む。
【００６９】
ステップＳ９０５の判定において、高度が１０ｍ以上連続的に上昇していると判定されたとき、処理はステップＳ９０７に進む。ステップＳ９０７において電源制御部１０は、ステップＳ９０３で算出された現在の進行方向をリフトの進行方向として設定し記憶する。ステップＳ９０８において電源制御部１０は、位置変化経過記録に基づいてリフト乗車位置を確定してそれを記憶し、また、ステップＳ９０２で算出された速度をリフト速度として記憶する。ステップＳ９０７及びステップＳ９０８の処理によって、スキー場においてリフトが配置されている位置とリフトの速度とが記憶される。以降、このリフトに係る情報が利用される。ステップＳ９０８の後、処理はステップＳ９１２に進む。
【００７０】
ステップＳ９０４においてリフト進行方向が確定済みであると判定されたとき、処理はステップＳ９０９に進む。ステップＳ９０９において電源制御部１０は、リフトの位置等の情報と現在位置との情報とに基づいて、ユーザがリフトに乗ったか否かを判定する。リフトに乗っていないと判定されたとき、処理はステップＳ９１２に進む。一方、リフトに乗ったと判定されたとき、処理はステップＳ９１０に進む。
【００７１】
ステップＳ９１０において電源制御部１０は、ステップＳ９０３で算出された現在の進行方向とステップＳ９０７で設定されたリフトの進行方向とは一致しているか否かを判定する。一致していないと判定されたとき、処理はステップＳ９１３に進む。一方、一致していると判定されたとき、処理はステップＳ９１１に進む。
【００７２】
このステップＳ９１３の前振りフラグをＯＮさせる制御を、位置に係る情報に基づいて、第１の位置変化条件を満たすか否かを判定し、この第１の位置変化条件を満たした後で、第２の位置変化条件を満たすか否かを判定するという表現にすることも出来る。この前振りフラグは、移動によってユーザの状況が次々と変化して、その後それが一段落付いたことを示す信号となる。ここでは、方向の変化なども含めて第２の位置変化条件として前振りフラグを設定している。
【００７３】
ステップＳ９１１において電源制御部１０は、ステップＳ９０２で算出された現在の速度がステップＳ９０８で記憶されたリフト速度以下であるか否かを判定する。現在の速度がリフト速度以下でないとき、処理はステップＳ９１３に進む。一方、現在の速度がリフト速度以下であるとき、処理はステップＳ９１２に進む。
【００７４】
ステップＳ９１０の判定において、現在の進行方向がリフト進行方向と一致し、かつ現在の速度がリフト速度以下であるとき、デジタルカメラ１００を持つユーザはリフトに乗っていると推測される。このような場合、処理はステップＳ９１２に進む。ステップＳ９１２において電源制御部１０は、前振りフラグをＯＦＦに設定する。その後、処理は図４を参照して説明している電源制御処理に戻る。
【００７５】
一方、現在の進行方向とリフト進行方向が一致していないとき、又は、現在の速度がリフト速度より速いとき、デジタルカメラ１００を持つユーザは滑走中であると推定される。このとき、ステップＳ９１３において電源制御部１０は、前振りフラグをＯＮに設定する。その後、処理は電源制御処理に戻る。なお、スキーやスノーボードの一般的な滑走速度は、例えば時速２０乃至３０ｋｍ程度である。一方、一般的なリフトの平均速度は例えば時速７ｋｍ程度である。また、一般的な歩行速度は、例えば時速４ｋｍ程度である。
【００７６】
図４に戻って電源制御処理について説明を続ける。ステップＳ３０３において電源制御部１０は、前振りフラグがＯＮであるか否かを判定する。前振りフラグがＯＮでないと判定されたとき、処理はステップＳ３０２の前振り判定処理に戻る。一方、前振りフラグがＯＮであると判定されたとき、ステップＳ３０４において電源制御部１０は、必要な第２の検出器をＯＮにする。本実施形態では、第２の検出器として加速度センサ２２への電力の供給が開始され、加速度センサ２２がＯＮ状態になる。ステップＳ３０５において電源制御部１０は、電源判定処理を実行する。
【００７７】
本実施形態に係る電源判定処理について、図１３に示すフローチャートを参照して説明する。ステップＳ１００１において電源制御部１０は、加速度センサ２２からデジタルカメラ１００にかかる加速度を取得する。ステップＳ１００２において電源制御部１０は、取得した加速度を積分し、現在の速度を算出する。例えば加速度が図１４に示す実線のように変化するとき、速度は図１４の破線に示されるように算出される。電源制御部１０は、一連の動作における速度の最大値を最大速度として記憶し、加速度の最小値を最小加速度として記憶する。速度は、加速度の積分によって算出されるに限らず、位置検出器２１の出力に基づいて算出されてもよい。
【００７８】
ステップＳ１００３において電源制御部１０は、現在の速度が最大速度より大きいか否かを判定する。現在の速度が最大速度よりも大きくないとき、処理はステップＳ１００５に進む。一方、現在の速度が最大速度よりも大きいとき、処理はステップＳ１００４に進む。ステップＳ１００４において電源制御部１０は、最大速度を更新する。
【００７９】
ステップＳ１００５において電源制御部１０は、現在の加速度は、最小加速度より小さいか否かを判定する。現在の加速度が最小加速度より小さくないと判定されたとき、処理はステップＳ１０１２に進む。一方、現在の加速度が最小加速度よりも小さいと判定されたとき、処理はステップＳ１００６に進む。ステップＳ１００６において電源制御部１０は、最小加速度を更新する。ステップＳ１００７において電源制御部１０は、最大速度に基づいて、加速度閾値を算出する。例えば加速度閾値は、最大速度が高い程、絶対値が大きな負の値とする。加速度閾値は、図１４に一点鎖線で示すような値に決定される。
【００８０】
ステップＳ１００８において電源制御部１０は、現在の加速度が加速度閾値よりも小さいか否かを判定する。現在の加速度が加速度閾値よりも小さくないと判定されたとき、処理はステップＳ１０１２に進む。一方、現在の加速度が加速度閾値よりも小さいと判定されたとき、処理はステップＳ１００９に進む。すなわち、ユーザが急停止をするとき、処理はステップＳ１００９に進む。
【００８１】
ステップＳ１００９において電源制御部１０は、現在地がリフト乗り場であるか否かを判定する。現在地がリフト乗り場でないと判定されたとき、処理はステップＳ１０１０に進む。ステップＳ１０１０において電源制御部１０は、電源フラグをＯＮに設定する。その後、電源判定処理は終了し、図４を参照して説明している電源制御処理に戻る。
【００８２】
ステップＳ１００９の判定において現在地がリフト乗り場であると判定されたとき、処理はステップＳ１０１１に進む。ステップＳ１０１１において電源制御部１０は、前振りフラグをＯＦＦに設定し、電源フラグをＯＦＦのままに設定する。その後、電源判定処理は終了し、図４を参照して説明している電源制御処理に戻る。この場合、前振りフラグがＯＦＦであるので、ステップＳ３０３の処理の判定によって、処理はステップＳ３０２の前振り判定処理に戻る。
【００８３】
ステップＳ１０１０において電源制御部１０は、電源フラグをＯＦＦのまま維持する。その後、電源判定処理は終了し、図４を参照して説明している電源制御処理に戻る。
【００８４】
図４に戻って、電源制御処理について説明を続ける。ステップＳ３０６において電源制御部１０は、電源フラグがＯＮであるか否かを判定する。電源フラグがＯＦＦのとき、ステップＳ３０７において電源制御部１０は、所定時間経過したか否かを判定する。所定時間経過していないとき、処理はステップＳ３０３に戻る。一方、所定時間経過しているとき、ステップＳ３０８において電源制御部１０は、前振りフラグをＯＦＦに設定する。その後、ステップＳ３０９において電源制御部１０は、ステップＳ３０４でＯＮにした第２の検出器をＯＦＦにし、処理はステップＳ３０３に戻る。ステップＳ３０６の判定において、電源フラグがＯＮであると判定されたとき、ステップＳ１１０において電源制御部１０は、電源装置２５に、デジタルカメラ１００の各部に電力を供給させる。その後、処理は図１１を参照して説明しているカメラ制御処理に戻る。電源装置２５は、例えば信号処理制御部３０、表示部４２、タッチパネル４４、撮像部５２、記録部５４、操作部５６といった部分に電力を供給する。
【００８５】
図１１に戻ってカメラ制御処理について説明を続ける。ステップＳ８０３の電源制御処理の後、処理はステップＳ８０４に進む。ステップＳ８０４において電源制御部１０は、停止フラグをＯＦＦに設定する。その後処理はステップＳ８０５に進む。
【００８６】
ステップＳ８０５乃至ステップＳ８０９の処理は、信号処理制御部３０において行われる。ステップＳ８０５において信号処理制御部３０は、撮影モードであるか否かを判定する。撮影モードでないと判定されたとき、処理はステップＳ８０６に進む。ステップＳ８０６において信号処理制御部３０は、再生動作処理を行う。再生動作処理は、例えば記録部５４に記録された画像を表示部４２に１枚ずつ表示させたり、一覧表示させたりする一般的な処理である。再生動作処理については、その詳細な説明は省略する。再生動作処理の後、処理はステップＳ８１０に進む。
【００８７】
ステップＳ８０５において、撮影モードであると判定されたとき、処理はステップＳ８０７に進む。ステップＳ８０７において信号処理制御部３０は、撮像部５２から画像データを取得し、画像処理を施して、スルー画を作成する。信号処理制御部３０は、作成したスルー画を表示部４２に表示させる。ステップＳ８０８において信号処理制御部３０は、例えば操作部５６のレリーズボタンが押されたり、タッチパネル４４がタッチされたりといった撮影操作が行われたか否かを判定する。撮影操作が行われていないと判定されたとき、処理はステップＳ８１０に進む。一方、撮影操作が行われたと判定されたとき、処理はステップＳ８０９に進む。
【００８８】
ステップＳ８０９において信号処理制御部３０は、撮影動作を行う。すなわち、信号処理制御部３０は、撮像部５２に撮像動作を行わせて画像データを作成させ、この画像データを取得する。信号処理制御部３０は、画像データに対して画像処理を施し、画像ファイルとして記録部５４に記録させる。その後、処理はステップＳ８１０に進む。
【００８９】
ステップＳ８１０乃至ステップＳ８１２の処理は、電源制御部１０によって行われる。ステップＳ８１０において電源制御部１０は、停止判定処理を行う。停止判定処理について、図１５に示すフローチャートを参照して説明する。
【００９０】
ステップＳ１１０１において、電源制御部１０は、位置検出器２１から現在の位置に係る情報を取得し、デジタルカメラ１００の位置変化があるか否かを判定する。電源制御部１０は、加速度センサ２２から加速度を取得し、その加速度に基づいて、位置変化があるか否かを判定してもよい。位置変化があると判定されたとき、処理はステップＳ１１０４に進む。一方、位置変化がないと判定されたとき、処理はステップＳ１１０２に進む。ステップＳ１１０２において、電源制御部１０は、高度センサ２３からデジタルカメラ１００の高度に係る情報を取得し、高度に変化があるか否かを判定する。高度変化があると判定されたとき、処理はステップＳ１１０４に進む。一方、高度変化がないと判定されたとき、処理はステップＳ１１０３に進む。ステップＳ１１０３において、電源制御部１０は、操作がないまま一定時間が経過したか否かを判定する。一定時間が経過していないと判定されたとき、処理はステップＳ１１０５に進む。一方、一定時間が経過していると判定されたとき、処理はステップＳ１１０４に進む。
【００９１】
ステップＳ１１０４において、電源制御部１０は、停止判定フラグをＯＮに設定する。その後、処理は図１１を参照して説明しているカメラ制御処理に戻る。ステップＳ１１０５において、電源制御部１０は、停止判定フラグをＯＦＦのままに設定する。その後、処理は図１１を参照して説明しているカメラ制御処理に戻る。すなわち、デジタルカメラ１００が移動したときや操作がないまま一定時間が経過したときに、停止判定フラグはＯＮになる。一方、その他の場合、停止判定フラグはＯＦＦのまま維持される。
【００９２】
図１１に戻って、カメラ制御処理について説明する。ステップＳ８１０の停止判定処理の後、処理はステップＳ８１１に進む。ステップＳ８１１において電源制御部１０は、停止判定フラグがＯＮであるか否かを判定する。停止判定フラグがＯＮでないと判定されたとき、処理はステップＳ８０５に戻る。一方、停止判定フラグがＯＮであると判定されたとき、処理はステップＳ８１２に進む。ステップＳ８１２において電源制御部１０は、電源装置２５にデジタルカメラ１００の各部への電力の供給をＯＦＦにするように指令する。その後、処理はステップＳ８０１に戻る。
【００９３】
デジタルカメラ１００は、スキー場においてユーザが滑走の途中で撮影のために停止すると、デジタルカメラ１００の各部に電力が供給されて機能するように構成されている。本実施形態によれば、ユーザがデジタルカメラ１００の電源のＯＮ／ＯＦＦに係る操作をしなくても、ユーザが撮影を行いたいと考えたときにデジタルカメラ１００はＯＮ状態になる。本実施形態に係るデジタルカメラ１００によれば、電源操作の手間が省かれるためユーザにとって利便性がよい。特に、スキー場では、スキーヤー等の移動速度が速いために素早く撮影を開始したい場面が多いことや、ユーザがグローブをはめていたり気温が低かったりするためにユーザにとって細かい操作を行うことが通常より困難であることなどから、本実施形態に係る電源制御処理は効果を奏する。本実施形態によれば、適切なタイミングで電源のＯＮ／ＯＦＦが切り替わるので、デジタルカメラ１００において省エネルギーが実現される。
【００９４】
また、本実施形態で説明した処理は一例であり、その一部が変更されたり削除されたりしてもよい。例えば、前振り判定処理では、高度の情報に基づいて、例えば１０ｍ以上上昇したら前振りフラグがＯＮになるように構成されてもよい。
【００９５】
第２の実施形態やその変形例は、デジタルカメラに限らず、例えばスマートフォンといった各種携帯機器に適用され得る。また、これらの機器に、第１の実施形態やその変形例で説明した前振り判定処理や電源判定処理が用いられてもよいことは勿論である。同様に、第２の実施形態やその変形例に係る前振り判定処理や電源判定処理は、デジタルカメラ以外の種々の携帯機器に適用され得る。例えば、どこかに着いた時に電話をかけるような動作や、道に迷ってさまよった後に地図をチェックする動作の補助にも応用可能である。
【００９６】
なお、ここで説明した技術のうち、主にフローチャートで説明した制御に関しては、プログラムで設定可能であることが多い。このプログラムは、記録媒体や記録部に収められる場合もある。この記録媒体、記録部への記録の仕方は、製品出荷時に記録されてもよく、配布された記録媒体が利用されて記録されてもよく、インターネットを介したダウンロードが利用されて記録されてもよい。
【００９７】
なお、本発明の上記実施形態には、以下の発明も含まれる。
［１］
位置に係る情報を取得する検出部と、
前記位置に係る情報に基づいて、第１の位置変化条件を満たすか否かの第１の判定を行い、前記第１の位置変化条件を満たした後に、第２の位置変化条件を満たすか否かの第２の判定を行う判定部と、
前記第２の条件を満たすとき、少なくとも１つの電子部品への電力の供給を開始する電源装置と
を具備する携帯機器。
［２］
加速度を取得する加速度センサをさらに具備し、
前記検出部は、
現在の高度を取得する高度センサと、
現在地を取得する位置検出部と、
を含み、
前記判定部は、前記高度と前記現在地とに基づいて前記第１の判定を行い、
前記判定部は、前記加速度に基づいて第２の判定を行う
［１］に記載の携帯機器。
［３］
スキー場におけるリフトの位置を特定するリフト位置特定部をさらに具備し、
前記第１の位置変化条件は、前記リフトに乗った後にリフトを降りたことを表す条件であり、
前記第２の位置変化条件は、移動している状態から停止している状態へ変化したことである
［２］に記載の携帯機器。
［４］
前記判定部は、前記電源装置が前記電子部品へ電力を供給しているとき、第３の条件を満たすか否かの第３の判定を行い、
前記第３の条件を満たすとき、前記電源装置は、前記電子部品への電力の供給を停止する
［１］乃至［３］のうち何れか一に記載の携帯機器。
［５］
被写体を撮像する撮像部と、
前記撮像部が撮像した画像を表示する表示部と
を更に具備し、
前記電源装置は、前記第２の条件を満たすとき、前記撮像部と前記表示部とへの電力の供給を開始する
［１］乃至［４］のうち何れか一に記載の携帯機器。
【符号の説明】
【００９８】
１０…電源制御部、１１…前振り判定部、１２…電源判定部、１３…位置経過記憶部、１４…停止判定部、１５…リフト位置特定部、２０…電池、２１…位置検出器、２２…加速度センサ、２３…高度センサ、２５…電源装置、３０…信号処理制御部、４２…表示部、４４…タッチパネル、５２…撮像部、５４…記録部、５６…操作部、１００…デジタルカメラ。
【図１】
2014238499.tif 000003
【図２】
2014238499.tif 000004
【図３】
2014238499.tif 000005
【図４】
2014238499.tif 000006
【図５】
2014238499.tif 000007
【図６】
2014238499.tif 000008
【図７】
2014238499.tif 000009
【図８】
2014238499.tif 000010
【図９】
2014238499.tif 000011
【図１０】
2014238499.tif 000012
【図１１】
2014238499.tif 000013
【図１２】
2014238499.tif 000014
【図１３】
2014238499.tif 000015
【図１４】
2014238499.tif 000016
【図１５】
2014238499.tif 000017